(57)【要約】【課題】  簡単な制御によって希望波から１／Ｎ・ＩＦ離れた干渉波の影響を抑制して高品質の希望波の中間周波数ＩＦを出力できる受信回路および信号の受信方法を提供する。【解決手段】  本発明の受信回路１０は、中間周波数成分を出力する変換手段２０、中間周波数成分から希望波の中間周波数成分および干渉波の中間周波数成分の２倍歪を抽出する第１のフィルタ手段３１、それを増幅する第１の増幅手段３２、中間周波数成分から干渉波の中間周波数成分を抽出する第２のフィルタ手段４１、それを調整する第２の増幅手段４２、２逓倍手段４３および位相調整手段４４、２つの信号を合波する合波手段５０、および、第２のフィルタ手段４１からの出力強度に対応する第１の制御信号および第２の制御信号を第２の増幅手段４２および位相調整手段４４へ設定する制御手段６０を備える。【選択図】      図１
2016063450.tif 000002
【特許請求の範囲】
【請求項１】
入力された希望波および干渉波を含む受信信号を局部発振器から出力された局部発振波と混合させ、中間周波数成分を出力する変換手段と、
前記出力された中間周波数成分から、希望波の中間周波数成分および干渉波の中間周波数成分の２倍歪を抽出して出力する第１のフィルタ手段と、
前記出力された希望波の中間周波数成分および干渉波の中間周波数成分の２倍歪の振幅を所定レベルに増幅して出力する第１の増幅手段と、
前記出力された中間周波数成分から、干渉波の中間周波数成分を抽出して出力する第２のフィルタ手段と、
入力された信号の振幅を第１の制御信号に基づいて増幅して出力する第２の増幅手段と、
入力された信号の位相を第２の制御信号に基づいて調整する位相調整手段と、
入力された信号を２逓倍する２逓倍手段と、
前記第１の増幅手段から入力された希望波の中間周波数成分および干渉波の中間周波数成分の２倍歪と、前記第２の増幅手段、位相調整手段および２逓倍手段を介して前記第２のフィルタ手段から入力された干渉波の中間周波数成分と、を合波して出力する合波手段と、
前記抽出された干渉波の中間周波数成分の強度に対応する第１の制御信号および第２の制御信号を、前記第２の増幅手段および位相調整手段へ出力する制御手段と、
を備える受信回路。
【請求項２】
前記第２の増幅手段、位相調整手段および２逓倍手段と、前記合波手段と、の間に配置され、前記第１のフィルタ手段と同等の機能を有する第３のフィルタ手段をさらに備える、請求項１に記載の受信回路。
【請求項３】
前記制御手段は、前記抽出された干渉波の中間周波数成分の強度を計測する検波器、および、干渉波の中間周波数成分の複数の強度ごと設定された第１の制御信号および第２の制御信号を記憶する記憶手段を備え、前記検波器において計測された強度に対応する第１の制御信号および第２の制御信号を前記記憶手段から抽出し、前記第２の増幅手段および位相調整手段へ出力する、請求項１または２に記載の受信回路。
【請求項４】
前記検波器の代わりに、前記第２のフィルタ手段からの出力の強度および周波数を検出するアナログデジタル変換器が配置される、請求項３に記載の受信回路。
【請求項５】
前記第１のフィルタ手段または前記第１の増幅手段からの出力の強度を計測する計測手段をさらに備え、
前記制御手段は、前記計測手段において計測された強度が所定の閾値よりも大きい場合、前記第２の増幅手段、位相調整手段および２逓倍手段の動作を停止させる、請求項１乃至４のいずれか１項に記載の受信回路。
【請求項６】
前記第１の信号は、所定レベルの干渉波を入力した時の前記合波手段からの出力が、前記第１の増幅手段を停止させた状態で前記干渉波を入力した時の出力と一致するように、前記第２の増幅手段を調整した時の設定値であり、
前記第２の信号は、前記干渉波を入力すると共に前記第２の増幅手段へ前記第１の制御信号を適用した時に、前記合波手段からの出力が最小になるように、前記位相調整手段を調整した時の設定値である、
請求項１乃至５のいずれか１項に記載の受信回路。
【請求項７】
前記第２のフィルタ手段の代わりに、前記出力された中間周波数成分から干渉波の１／Ｎ・周波数成分を抽出して出力する第３のフィルタ手段が配置され、
前記２逓倍手段の代わりに、入力された信号をＮ逓倍するＮ逓倍手段が配置される、
請求項１乃至６のいずれか１項に記載の受信回路。
【請求項８】
入力された信号から希望波の中間周波数成分および干渉波の中間周波数成分の２倍歪を抽出して出力する第１のフィルタ手段、および、入力された信号から干渉波の中間周波数成分を抽出して出力する第２のフィルタ手段を用いた信号の受信方法であって、
入力された希望波および干渉波を含む受信信号を局部発振器から出力された局部発振波と混合させ、中間周波数成分を前記第１のフィルタ手段および前記第２のフィルタ手段へ出力し、
前記第１のフィルタ手段から出力された希望波の中間周波数成分および干渉波の中間周波数成分の２倍歪の振幅を所定のレベルまで増幅し、
前記第２のフィルタ手段から出力された干渉波の中間周波数成分の強度に対応する第１の制御信号および第２の制御信号を取得し、
前記第２のフィルタ手段から出力された干渉波の中間周波数成分について、振幅を前記取得した第１の制御信号に基づいて増幅し、位相を前記取得した第２の制御信号に基づいて調整し、２逓倍して出力し、
前記増幅された希望波の中間周波数成分および干渉波の中間周波数成分の２倍歪と、前記増幅、位相調整および２逓倍された干渉波の中間周波数成分と、を合波して出力する、
信号の受信方法。
【発明の詳細な説明】
【技術分野】
【０００１】
本発明は、受信回路および信号の受信方法に関し、特に、マイクロ波やミリ波などの無線信号を扱う受信回路および信号の受信方法に関する。
【背景技術】
【０００２】
デジタル無線機の受信回路においては、希望の信号波以外の不要波である干渉波が入ってきても、回線の伝送品質を一定に保つ必要がある。例えば、マイクロ波のＰｏｉｎｔ  ｔｏ  Ｐｏｉｎｔ通信の規格においては、希望波Ｃと干渉波ＩとのＣ／Ｉ比がＩがＣよりも３０ｄＢも高い状態であっても、回線品質を一定に保つことが要求されている。
【０００３】
干渉波に対する耐力を向上させるために、受信回路の初段に配置された帯域通過フィルタの透過帯域を極力狭くし、希望波以外を減衰させることが一般的であるが、一方で、無線機の汎用性としては周波数チャネルをできるだけ多く包含することが望まれる。例えば、１チャネルの無線帯域が７ＭＨｚであり、受信回路の帯域が１００チャネル分の７００ＭＨｚのような場合もある。これを実現するためには、受信回路の初段に配置された帯域通過フィルタの透過帯域は、極力広いことが望ましい。
【０００４】
そこで、広い透過帯域を維持しつつ、干渉波の影響を排除できる技術が、例えば、特許文献１−３に開示されている。特許文献１には、透過帯域の異なる複数の帯域通過フィルタを配置し、入力される信号に応じて、透過させるフィルタを切り替える技術が開示されている。特許文献２には、デジタル無線機の出力から信号誤りを検出し、検出された信号誤りが最小になるように、帯域通過フィルタをフィードバック制御する技術が開示されている。さらに、特許文献３には、干渉波を含む検波電圧と干渉波を含まない検波電圧との差から、干渉波の存在を検知して可変利得増幅器の利得を変化させる技術が開示されている。
【先行技術文献】
【特許文献】
【０００５】
【特許文献１】特開２００５−１０９５５０号公報
【特許文献２】特開平１１−８８２０５号公報
【特許文献３】特開２０１１−８７０３４号公報
【発明の概要】
【発明が解決しようとする課題】
【０００６】
しかし、特許文献１の技術において、信号に応じて帯域通過フィルタを適宜切り替える場合、広帯域の受信信号には対応できない。また、特許文献２の技術において、帯域通過フィルタをフィードバック制御する場合、制御が複雑になる。
【０００７】
さらに、特許文献３の技術は、希望波の１／２・ＩＦ離れの干渉波に対しては十分に機能しない。その理由は、無線機の受信回路においては、中間周波数変換を用いて不要波を除去し、希望波の選択性を向上させる手法が用いられるが、中間周波数変換段における２倍歪み特性により、希望波の中間周波数ＩＦと一致する干渉波の２倍歪成分ＩＦ’が出力される。この場合、帯域通過フィルタにおいて干渉波の２倍歪成分ＩＦ’を除去することができない。
【０００８】
本発明は上記の課題に鑑みてなされたものであり、希望波から１／Ｎ・ＩＦ離れた干渉波を含む広帯域な受信信号を扱う受信回路および信号の受信方法において、簡単な制御によって干渉波の影響を抑制して高品質の希望波の中間周波数ＩＦを出力できる、受信回路および信号の受信方法を提供することを目的とする。
【課題を解決するための手段】
【０００９】
上記目的を達成するために本発明に係る受信回路は、入力された希望波および干渉波を含む受信信号を局部発振器から出力された局部発振波と混合させ、中間周波数成分を出力する変換手段と、出力された中間周波数成分から、希望波の中間周波数成分および干渉波の中間周波数成分の２倍歪を抽出して出力する第１のフィルタ手段と、出力された希望波の中間周波数成分および干渉波の中間周波数成分の２倍歪の振幅を所定レベルに増幅して出力する第１の増幅手段と、出力された中間周波数成分から、干渉波の中間周波数成分を抽出して出力する第２のフィルタ手段と、入力された信号の振幅を第１の制御信号に基づいて増幅して出力する第２の増幅手段と、入力された信号の位相を第２の制御信号に基づいて調整する位相調整手段と、入力された信号を２逓倍する２逓倍手段と、第１の増幅手段から入力された希望波の中間周波数成分および干渉波の中間周波数成分の２倍歪と、第２の増幅手段、位相調整手段および２逓倍手段を介して第２のフィルタ手段から入力された干渉波の中間周波数成分と、を合波して出力する合波手段と、抽出された干渉波の中間周波数成分の強度に対応する第１の制御信号および第２の制御信号を、第２の増幅手段および位相調整手段へ出力する制御手段と、を備える。
【００１０】
上記目的を達成するために本発明に係る信号の受信方法は、入力された信号から希望波の中間周波数成分および干渉波の中間周波数成分の２倍歪を抽出して出力する第１のフィルタ手段、および、入力された信号から干渉波の中間周波数成分を抽出して出力する第２のフィルタ手段を用いた信号の受信方法であって、入力された希望波および干渉波を含む受信信号を局部発振器から出力された局部発振波と混合させ、中間周波数成分を第１のフィルタ手段および第２のフィルタ手段へ出力し、第１のフィルタ手段から出力された希望波の中間周波数成分および干渉波の中間周波数成分の２倍歪の振幅を所定のレベルまで増幅し、第２のフィルタ手段から出力された干渉波の中間周波数成分の強度に対応する第１の制御信号および第２の制御信号を取得し、第２のフィルタ手段から出力された干渉波の中間周波数成分について、振幅を取得した第１の制御信号に基づいて増幅し、位相を取得した第２の制御信号に基づいて調整し、２逓倍して出力し、増幅された希望波の中間周波数成分および干渉波の中間周波数成分の２倍歪と、増幅、位相調整および２逓倍された干渉波の中間周波数成分と、を合波して出力する。
【発明の効果】
【００１１】
上述した本発明の態様によれば、希望波から１／Ｎ・ＩＦ離れた干渉波を含む広帯域な受信信号を扱う受信回路および信号の受信方法において、簡単な制御によって干渉波の影響を抑制して高品質の希望波の中間周波数ＩＦを出力できる、受信回路および信号の受信方法を提供することができる。
【図面の簡単な説明】
【００１２】
【図１】第１の実施形態に係る受信回路１０のブロック構成図である。
【図２】第２の実施形態に係る無線受信回路１００のブロック構成図である。
【図３】第２の実施形態に係るＣＰＵ４２０が、第１制御信号および第２制御信号を取得する手順を示す動作フロー図である。
【図４】第２の実施形態の変形例に係る無線受信回路１００Ｂのブロック構成図である。
【図５】第２の実施形態に変形例係る別の無線受信回路１００Ｃのブロック構成図である。
【発明を実施するための形態】
【００１３】
＜第１の実施形態＞
本発明の第１の実施形態について説明する。本実施形態に係る受信回路のブロック構成図を図１に示す。図１において、受信回路１０は、変換手段２０、第１のフィルタ手段３１、第１の増幅手段３２、第２のフィルタ手段４１、第２の増幅手段４２、２逓倍手段４３、位相調整手段４４、合波手段５０および制御手段６０を備える。
【００１４】
変換手段２０には、受信回路１０に入力された希望波および妨害波（以下、干渉波と記載する。）が入力する。変換手段２０は、局部発振波を生成して出力する局部発振器２１を含み、入力された希望波および干渉波と局部発振波とを混合させることによって、希望波の中間周波数成分および干渉波の中間周波数成分を第１のフィルタ手段３１および第２のフィルタ手段４１へ出力する。ここで、変換手段２０からの出力には、中間周波数成分のＮ逓倍歪（Ｎは２以上の整数）も含まれる。
【００１５】
第１のフィルタ手段３１は、変換手段２０から入力された中間周波数成分から、希望波の中間周波数成分ＩＦと、希望波から１／２・ＩＦ離れた干渉波の中間周波数成分の２倍歪ＩＦ’と、を抽出して第１の増幅手段３２出力する。
【００１６】
第１の増幅手段３２は、入力された希望波の中間周波数成分ＩＦおよび干渉波の中間周波数成分の２倍歪ＩＦ’の振幅を所定のレベルに増幅して合波手段５０へ出力する。
【００１７】
第２のフィルタ手段４１は、変換手段２０から入力された中間周波数成分から、希望波から１／２ＩＦ離れた干渉波の中間周波数成分１／２・ＩＦ’を抽出して第２の増幅手段４２へ出力する。
【００１８】
第２の増幅手段４２は、入力された干渉波の中間周波数成分１／２・ＩＦ’の振幅を、後述する制御手段６０から入力された第１の制御信号に基づいて増幅し、２逓倍手段４３へ出力する。
【００１９】
２逓倍手段４３は、入力された干渉波の中間周波数成分１／２・ＩＦ’を２逓倍し、干渉波の中間周波数成分の２逓倍波ＩＦ’を位相調整手段４４へ出力する。
【００２０】
位相調整手段４４は、入力された干渉波の中間周波数成分の２逓倍波ＩＦ’の位相を、後述する制御手段６０から入力された第２の制御信号に基づいて調整し、合波手段５０へ出力する。
【００２１】
合波手段５０は、第１の増幅手段３２から入力された希望波の中間周波数成分ＩＦおよび干渉波の中間周波数成分の２倍歪ＩＦ’と、位相調整手段４４から入力された干渉波の中間周波数成分の２逓倍波ＩＦ’とを合波して出力する。
【００２２】
制御手段６０は、干渉波の中間周波数成分１／２・ＩＦ’の複数の強度ごとに設定された、複数の第１の制御信号および第２制御信号を予め保持している。そして、制御手段６０は、第２のフィルタ手段４１から出力された干渉波の中間周波数成分１／２・ＩＦ’の強度を計測し、計測結果に対応する第１の制御信号および第２の制御信号を選択して、第２の増幅手段４２および位相調整手段４４へそれぞれ出力する。
【００２３】
ここで、制御手段６０は、干渉波の中間周波数成分１／２・ＩＦ’の振幅を、第１の増幅手段３２から出力される干渉波の中間周波数成分の２倍歪ＩＦ’の振幅と同等にするための第１の制御信号を第２の増幅手段４２へ出力する。制御手段６０はさらに、干渉波の中間周波数成分の２逓倍波ＩＦ’の位相が、第１の増幅手段３２から出力される干渉波の中間周波数成分の２倍歪ＩＦ’の位相に対して逆位相となるための第２の制御信号を位相調整手段４４へ出力する。
【００２４】
従って、合波手段５０に入力される、干渉波の中間周波数成分の２倍歪ＩＦ’と、干渉波の中間周波数成分の２逓倍波ＩＦ’とは、振幅が同等で逆位相となり、合波手段５０において合波させることにより、両者が相殺される。これにより、合波手段５０からは、干渉波の中間周波数成分の２倍歪ＩＦ’が除去された品質の高い希望波の中間周波数成分ＩＦが出力される。
【００２５】
以上のように、本実施形態に係る受信回路１０において、制御手段６０は、干渉波の中間周波数成分１／２・ＩＦ’の強度に応じた第１の制御信号第２の制御信号を第２の増幅手段４２および位相調整手段４４へそれぞれ出力する。これにより、干渉波の中間周波数成分の２逓倍波ＩＦ’の振幅および位相が、干渉波の中間周波数成分の２倍歪ＩＦ’の振幅と同等となると共に逆位相となり、両者を合波することによって干渉波の中間周波数成分の２倍歪ＩＦ’が除去され、簡単な制御によって品質の高い希望波の中間周波数成分ＩＦが出力される。
【００２６】
ここで、本実施形態においては、第２のフィルタ手段４１および合波手段５０の間に、第２の増幅手段４２、２逓倍手段４３および位相調整手段４４を、この順番で配置したが、第２の増幅手段４２、２逓倍手段４３および位相調整手段４４の配置順は適宜変更することができる。
【００２７】
さらに、干渉波の中間周波数成分の２倍歪ＩＦ’ではなく、干渉波の中間周波数成分のＮ倍歪ＩＦ’が希望波の中間周波数成分ＩＦと一致する場合、干渉波の中間周波数成分１／２・ＩＦ’を抽出する第２のフィルタ手段４１の代わりに、干渉波の中間周波数成分１／Ｎ・ＩＦ’を抽出する第３のフィルタ手段を配置し、２逓倍手段４３の代わりに、入力された干渉波の中間周波数成分１／Ｎ・ＩＦ’をＮ逓倍するＮ逓倍器を配置する。これにより、干渉波の中間周波数成分のＮ逓倍波ＩＦ’の振幅および位相が、干渉波の中間周波数成分のＮ倍歪ＩＦ’の振幅と同等となると共に逆位相となり、両者を合波することによって干渉波の中間周波数成分のＮ倍歪ＩＦ’が除去される。
【００２８】
＜第２の実施形態＞
第２の実施形態について説明する。本実施形態に係る無線受信回路の機能ブロック図を図２に示す。図２において、無線受信回路１００は、信号受信回路２００、干渉波除去回路３００および干渉波制御回路４００を備える。
【００２９】
信号受信回路２００は、帯域通過フィルタ２１０、低雑音増幅器２２０、局部発振器２３０、周波数変換器２４０、帯域通過フィルタ２５０および増幅器２６０によって構成される。信号受信回路２００は、無線受信回路１００へ入力された受信信号を局部発振波と混合させることによって中間周波数へ変換し、干渉波除去回路３００の方向性結合器３６０へ出力する。
【００３０】
帯域通過フィルタ２１０は、無線受信回路１００への入力から希望波を含む周辺帯域の受信信号を抽出して出力する。以下、希望波を含む周辺帯域を「特定帯域」と記載する。
【００３１】
低雑音増幅器２２０は、入力された特定帯域の受信信号を低雑音増幅して周波数変換器２３０へ出力する。
【００３２】
局部発振器２３０は、局部発振波を生成して周波数変換器２４０へ出力する。
【００３３】
周波数変換器２４０は、低雑音増幅器２２０から入力された特定帯域の受信信号を局部発振器２３０から入力された局部発振波によって周波数変換し、中間周波数を帯域通過フィルタ２５０へ出力する。周波数変換器２４０からの出力は、後述する干渉波除去回路３００の帯域通過フィルタ３１０にも出力される。
【００３４】
ここで、周波数変換器２４０からは、希望波の中間周波数ＩＦおよびその周辺帯域の信号の中間周波数に加え、それらの逓倍歪成分（２倍歪成分、３倍歪成分…）も出力される。そして、特定帯域の受信信号の中に、希望波から１／２・ＩＦ離れの干渉波が含まれている場合、干渉波の中間周波数１／２・ＩＦ’の２倍歪成分ＩＦ’は、希望波の中間周波数ＩＦと一致する。以下、干渉波の中間周波数１／２・ＩＦ’の２倍歪成分ＩＦ’を、「干渉波中間周波数２倍歪成分ＩＦ’」と記載する。
【００３５】
帯域通過フィルタ２５０は、周波数変換器２４０の入力から、希望波の中間周波数ＩＦを抽出して増幅器２６０へ出力する。ここで、上述のように、特定帯域の受信信号の中に希望波から１／２・ＩＦ離れの干渉波が含まれている場合、干渉波の中間周波数の２倍歪成分ＩＦ’は希望波の中間周波数ＩＦと一致する。従って、帯域通過フィルタ２５０からは、希望波の中間周波数ＩＦと共に干渉波中間周波数２倍歪成分ＩＦ’が出力される。
【００３６】
増幅器２６０は、帯域通過フィルタ２５０から入力された希望波の中間周波数ＩＦおよび干渉波中間周波数２倍歪成分ＩＦ’を所定の強度レベルまで増幅し、干渉波除去回路３００の方向性結合器３６０へ出力する。
【００３７】
干渉波除去回路３００は、帯域通過フィルタ３１０、可変利得増幅器３２０、２逓倍器３３０、可変位相器３４０、帯域通過フィルタ３５０および方向性結合器３６０によって構成される。干渉波除去回路３００は、周波数変換器２４０の出力から干渉波の中間周波数１／２・ＩＦ’を抽出し、信号レベルおよび位相を調整し、２逓倍した後、方向性結合器３６０において信号受信回路２００からの出力と合波して出力する。
【００３８】
帯域通過フィルタ３１０は、周波数変換器２４０の出力から、干渉波の中間周波数１／２・ＩＦ’を抽出して可変利得増幅器３２０へ出力する。
【００３９】
可変利得増幅器３２０は、後述する干渉波除去回路４００のＣＰＵ４２０から入力された第１制御信号に基づいて、入力された干渉波の中間周波数１／２・ＩＦ’を所定の信号レベルまで増幅し、２逓倍器３３０へ出力する。可変利得増幅器３２０が、第１制御信号に基づいて干渉波の中間周波数１／２・ＩＦ’を増幅することにより、その信号レベルが、信号受信回路２００の増幅器２６０から出力される干渉波中間周波数２倍歪成分ＩＦ’の信号レベルと同等になる。
【００４０】
２逓倍器３３０は、入力された干渉波の中間周波数１／２・ＩＦ’を２逓倍（ＩＦ’）して可変位相器３４０へ出力する。以下、干渉波の中間周波数１／２・ＩＦ’の２逓倍波ＩＦ’を「干渉波中間周波数２逓倍波ＩＦ’」と記載する。
【００４１】
可変位相器３４０は、後述する干渉波除去回路４００のＣＰＵ４２０から入力された第２制御信号に基づいて、入力された干渉波中間周波数２逓倍波ＩＦ’の位相を調整し、帯域通過フィルタ３５０へ出力する。可変位相器３４０が、第２制御信号に基づいて干渉波中間周波数２逓倍波ＩＦ’の位相を調整することにより、干渉波中間周波数２逓倍波ＩＦ’の位相が信号受信回路２００の増幅器２６０から出力される干渉波中間周波数２倍歪成分ＩＦ’の位相と逆位相になる。
【００４２】
帯域通過フィルタ３５０は、信号受信回路２００の帯域通過フィルタ２５０と同等の機能を有し、可変位相器３４０の出力から希望波の中間周波数ＩＦと同帯域の信号を抽出して方向性結合器３６０へ出力する。すなわち、帯域通過フィルタ３５０において、干渉波中間周波数２逓倍波ＩＦ’が抽出されて、方向性結合器３６０へ入力される。
【００４３】
方向性結合器３６０は、信号受信回路２００からの出力と、帯域通過フィルタ３５０からの出力とを合波して、受信信号として出力する。信号受信回路２００からの出力には、希望波の中間周波数ＩＦに加えて干渉波中間周波数２倍歪成分ＩＦ’が含まれている。一方、帯域通過フィルタ３５０からの出力には、干渉波中間周波数２逓倍波ＩＦ’が含まれている。
【００４４】
信号受信回路２００からの出力に含まれている干渉波中間周波数２倍歪成分ＩＦ’と、干渉波除去回路３００の帯域通過フィルタ３１０によって抽出された干渉波の中間周波数１／２・ＩＦ’とは、周波数変換器２４０において生じる一定の振幅と位相関係にある。そして、干渉波の中間周波数１／２・ＩＦ’は、干渉波中間周波数２倍歪成分ＩＦ’と振幅が同じで逆位相となるように調整された後、２逓倍され、方向性結合器３６０へ入力される。従って、方向性結合器３６０において両者を合波することにより、干渉波中間周波数２倍歪成分ＩＦ’と干渉波中間周波数２逓倍波ＩＦ’とが相殺され、方向性結合器３６０からは、干渉波中間周波数２倍歪成分ＩＦ’が除去された高品質の希望波の中間周波数ＩＦが受信信号として出力される。
【００４５】
干渉波制御回路４００は、検波器４１０およびＣＰＵ４２０によって構成され、干渉波の中間周波数１／２・ＩＦ’の信号レベルを干渉波中間周波数２倍歪成分ＩＦ’の信号レベルと同等に調整するための第１制御信号および両者の位相が逆向きになるように調整するための第２制御信号を選択して、可変利得増幅器３２０および可変位相器３４０へそれぞれ出力する。
【００４６】
検波器４１０は、干渉波除去回路３００の帯域通過フィルタ３１０によって抽出された干渉波の中間周波数１／２・ＩＦ’の信号強度を計測してＣＰＵ４２０へ出力する。
【００４７】
ＣＰＵ４２０は、干渉波の中間周波数１／２・ＩＦ’の複数の信号強度にそれぞれ対応する、複数の第１制御信号および第２の制御信号を保持している。そして、ＣＰＵ４２０は、入力された干渉波の中間周波数１／２・ＩＦ’の信号強度に対応する第１制御信号および第２制御信号を選択して可変利得増幅器３２０および可変位相器３４０へ出力する。
【００４８】
次に、ＣＰＵ４２０が第１制御信号および第２制御信号を取得する手順について、図３を用いて説明する。干渉波の中間周波数１／２・ＩＦ’の信号強度に対応する第１の制御信号および第２制御信号を取得する場合、先ず、ＣＰＵ４２０は、可変増幅器３２０の利得を十分小さくし、希望波から１／２．ＩＦ離れた干渉波を信号受信回路２００へ入力する。可変増幅器３２０の利得が十分小さく設定されている場合、方向性結合器３６０からは干渉波中間周波数２倍歪成分ＩＦ’が出力される。
【００４９】
そして、ＣＰＵ４２０は、信号受信回路２００へ入力させる干渉波の入力レベルを変化させ（Ｓ１０１）、この時の方向性結合器３６０からの出力レベル、すなわち、干渉波中間周波数２倍歪成分ＩＦ’のレベルを、検波器４１０からの出力値に対応付けて記憶する（Ｓ１０２）。ＣＰＵ４２０は、信号受信回路２００へ入力する干渉波の全てのレベル範囲について干渉波中間周波数２倍歪成分ＩＦ’のレベルを取得する。
【００５０】
干渉波の入力レベルを変化させた時の干渉波中間周波数２倍歪成分ＩＦ’のレベルを記憶した後、ＣＰＵ４２０は、増幅器２６０の電源をＯＦＦし、この状態で干渉波を信号受信回路２００へ入力させ、さらに、信号受信回路２００へ入力させる干渉波の入力レベルを順次変化させる（Ｓ１０３）。ＣＰＵ４２０は、信号受信回路２００へ入力させる干渉波の入力レベルごとに、方向性結合器３６０からの出力レベルがＳ１０２で記憶した出力レベルと等しくなるように、可変増幅器３２０の利得を調整し、その時の利得を第１制御信号として検波器４１０からの出力値に対応付けて記憶する（Ｓ１０４）。
【００５１】
その後、ＣＰＵ４２０は、増幅器２６０および可変増幅器３２０を動作状態にする。その状態で、ＣＰＵ４２０は、干渉波を信号受信回路２００へ入力させ、入力レベルを順次変化させると共にその入力レベルに対応する第１制御信号に基づいて可変増幅器３２０の利得を設定する（Ｓ１０５）。そして、ＣＰＵ４２０は、方向性結合器３６０からの出力レベルが最小となるように、可変位相器３４０の設定値を調整し、調整値を第２制御信号として検波器４１０からの出力値と対応付けて記憶する（Ｓ１０６）。
【００５２】
以上により、ＣＰＵ４２０が、検波器４１０から干渉波の中間周波数１／２・ＩＦ’の信号強度に対応付けて記憶されている第１制御信号および第２制御信号を、可変利得増幅器３２０および可変位相器３４０へ設定することにより、干渉波中間周波数２倍歪成分ＩＦ’と干渉波の中間周波数１／２・ＩＦ’とは振幅が同等で逆位相となり、方向性結合器３６０において相殺される。
【００５３】
＜第２の実施形態の変形例＞
第２の実施形態の変形例について説明する。本実施形態に係る無線受信回路１００Ｂのブロック構成図を図４に示す。図４の無線受信回路１００Ｂは、第２の実施形態で説明した図２の無線受信回路１００において、検波器４１０の代わりにＡ／Ｄ（Analog to digital）変換器４３０Ｂを配置することによって形成される。
【００５４】
検波器４１０の代わりにＡ／Ｄ変換器４３０Ｂを配置することにより、干渉波の中間周波数１／２・ＩＦ’の信号強度に加えて、干渉波の中間周波数１／２・ＩＦ’の周波数情報を取得することができる。この場合、ＣＰＵ４２０Ｂは、干渉波の周波数変動に応じて、可変利得増幅器３２０および可変位相器３４０を細かく制御することができる。
【００５５】
第２の実施形態の別の変形例について説明する。本実施形態に係る無線受信回路１００Ｃのブロック構成図を図５に示す。図５の無線受信回路１００Ｃは、第２の実施形態で説明した図２の無線受信回路１００に、さらに検出器４４０Ｃを配置することによって形成される。
【００５６】
検出器４４０Ｃは、帯域通過フィルタ２５０からの出力の信号強度を計測してＣＰＵ４２０Ｃへ出力する。ＣＰＵ４２０Ｃは、検出器４４０Ｃから入力された信号強度が所定の閾値よりも大きい場合、希望波の中間周波数ＩＦの入力レベルが十分高いと判定し、干渉波除去回路３００の動作を停止させる。すなわち、希望波の中間周波数ＩＦの入力レベルが十分高い場合は干渉除去を必要としないことから、干渉波除去回路３００の動作を停止させることによって、可変利得増幅器３２０や２逓倍器３３０の動作を抑制し、消費電力を低減する。
【００５７】
なお、検出器４４０Ｃの配置位置は、帯域通過フィルタ２５０の後段に限定されず、例えば、増幅器２６０の後段に配置することもできる。
【００５８】
＜実施例＞
実施例について説明する。図２に示した無線受信回路１００に希望波（４０００ＭＨｚ）を含む受信信号が入力すると共に局部発振器２３０が局部発振波（３０００ＭＨｚ）を生成する場合について説明する。この場合、周波数変換器２４０からは、希望波の中間周波数ＩＦ（１０００ＭＨｚ）が出力される。以下、無線受信回路１００に入力される受信信号に、希望波から１／２・ＩＦ離れた干渉波（３５００ＭＨｚ）が混入している場合について説明する。
【００５９】
図２に示した無線受信回路１００に入力される受信信号に、希望波（４０００ＭＨｚ）と共に希望波から１／２・ＩＦ離れた干渉波（３５００ＭＨｚ）が混入している場合、周波数変換器２４０からは、希望波の中間周波数ＩＦ（１０００ＭＨｚ）、干渉波の中間周波数１／２・ＩＦ’（５００ＭＨｚ）、干渉波中間周波数２倍歪成分ＩＦ’（１０００ＭＨｚ）等が出力される。
【００６０】
そして、帯域通過フィルタ２５０からは、希望波の中間周波数ＩＦ（１０００ＭＨｚ）および干渉波中間周波数２倍歪成分ＩＦ’（１０００ＭＨｚ）が透過され、帯域通過フィルタ３１０からは、干渉波の中間周波数１／２・ＩＦ’（５００ＭＨｚ）が透過される。
【００６１】
帯域通過フィルタ２５０を透過した希望波の中間周波数ＩＦ（１０００ＭＨｚ）および干渉波中間周波数２倍歪成分ＩＦ’（１０００ＭＨｚ）は、増幅器２６０において所定の強度レベルまで増幅され、方向性結合器３６０へ出力される。
【００６２】
一方、帯域通過フィルタ３１０を透過した干渉波の中間周波数１／２・ＩＦ’（５００ＭＨｚ）は、可変利得増幅器３２０、２逓倍器３３０および可変位相器３４０において振幅および位相が調整されると共に２逓倍（１０００ＭＨｚ）され、帯域通過フィルタ３５０において帯域通過フィルタ２５０と同帯域が抽出されて、方向性結合器３６０へ出力される。
【００６３】
そして、方向性結合器３６０において両者が合波されることにより、干渉波中間周波数２倍歪成分ＩＦ’（１０００ＭＨｚ）と干渉波中間周波数２逓倍波ＩＦ’（１０００ＭＨｚ）とが相殺され、干渉波中間周波数２倍歪成分ＩＦ’が除去された品質の高い希望波の中間周波数ＩＦが出力される。
【００６４】
上記の受信回路１０および無線受信回路１００、１００Ｂ、１００Ｃは、マイクロ波やミリ波などを扱う無線装置の受信回路に適用することができ、レーダ波などのＣＷ干渉波に対してこれまで以上に干渉耐力を向上することができる。
【００６５】
本願発明は上記実施形態に限定されるものではなく、この発明の要旨を逸脱しない範囲の設計の変更等があってもこの発明に含まれる。
【符号の説明】
【００６６】
１０    受信回路
２０    変換手段
２１    局部発振器
３１    第１のフィルタ手段
３２    第１の増幅手段
４１    第２のフィルタ手段
４２    第２の増幅手段
４３    ２逓倍手段
４４    位相調整手段
５０    合波手段
６０    制御手段
１００    無線受信回路
２００    信号受信回路
２１０    帯域通過フィルタ
２２０    低雑音増幅器
２３０    局部発振器
２４０    周波数変換器
２５０    帯域通過フィルタ
２６０    増幅器
３００    干渉波除去回路
３１０    帯域通過フィルタ
３２０    可変利得増幅器
３３０    ２逓倍器
３４０    可変位相器
３５０    帯域通過フィルタ
３６０    方向性結合器
４００    干渉波制御回路
４１０    検波器
４２０    ＣＰＵ
【図１】
2016063450.tif 000003
【図２】
2016063450.tif 000004
【図３】
2016063450.tif 000005
【図４】
2016063450.tif 000006
【図５】
2016063450.tif 000007